(57)【要約】      （修正有）【課題】コントローラ自身の接点摩耗等による経年変化（劣化）情報を主にユーザに提供し、あるいは経時的変化による不具合が発生した場合には、製造業者にその情報を提供することを可能とする床暖房用コントローラを提供する。【解決手段】床暖房用コントローラに経年劣化の対策のための開閉素子の開閉回数をカウントする計数手段を設け、前記床暖房用コントローラが、前記計数手段の可変パラメータとして設計寿命開閉回数を設定し、該設計寿命開閉回数と実際の開閉カウント数を比較し、開閉回数が製造時の設計寿命の９０％、もしくは設計寿命に達したことをユーザに表示するようにしたことを特徴とする経年変化検出構造を搭載した床暖房用コントローラ。【選択図】図１
0003172998.tif 000002
【実用新案登録請求の範囲】
【請求項１】
床暖房用コントローラが、開閉素子の開閉回数をカウントする計数手段を設けてあることを特徴とする経年変化検出構造を搭載した床暖房用コントローラ。
【請求項２】
前記床暖房用コントローラが、前記計数手段の可変パラメータとして設計寿命開閉回数を設定し、前記計数手段が設計寿命開閉回数をカウントしたことをユーザに表示するようにしたことを特徴とする請求項１に記載の経年変化検出構造を搭載した床暖房用コントローラ。
【請求項３】
前記床暖房用コントローラが、前記設計寿命開閉回数と実際の開閉カウント数を比較し、開閉回数が製造時の設計寿命の９０％、もしくは設計寿命に達したことをユーザに表示するようにしたことを特徴とする請求項１または２に記載の経年変化検出構造を搭載した床暖房用コントローラ。
【考案の詳細な説明】
【技術分野】
【０００１】
この考案は、床暖房システムを制御するコントローラの経年変化検出構造を搭載した床暖房用コントローラに関する。
【背景技術】
【０００２】
現在の床暖房システムのコントローラの多くは、開閉素子に有寿命接点のリレーを搭載した形態が多く、使用を続けていくとリレー接点が徐々に摩耗する経年変化（劣化）を生じ、その結果として接点熔着等の不具合を生じることがあり、この現象は、ユーザが不具合として製造業者に報告するまでは把握が難しいものだった。
また、発熱抵抗体の種類によっては熔着の結果、電気が流れ続けることにより、異常過熱に至る事故の発生も報告されている。
【先行技術文献】
【特許文献】
【０００３】
【特許文献１】特に該当するものはありません。
【考案の概要】
【考案が解決しようとする課題】
【０００４】
そこで、この考案は、コントローラ自身の接点摩耗等による経年変化（劣化）情報を、主にユーザに提供し、あるいは経時的変化による不具合が発生した場合には、製造業者に提供することを可能とした経年変化検出構造を搭載した床暖房用コントローラの提供を目的とする。
【課題を解決するための手段】
【０００５】
以上の課題を解決するために、第１考案の経年変化検出構造を搭載した床暖房用コントローラは、床暖房用コントローラに開閉素子の開閉回数をカウントする計数手段を設けたことを特徴とするものである。
第２考案の経年変化検出構造を搭載した床暖房用コントローラは、前記床暖房用コントローラが、前記計数手段の可変パラメータとして設計寿命開閉回数を設定し、前記計数手段が設計寿命開閉回数をカウントしたことをユーザに表示するようにしたことを特徴とするものである。
第３考案の経年変化検出構造を搭載した床暖房用コントローラは、前記床暖房用コントローラが、前記設計寿命開閉回数と実際の開閉カウント数を比較し、開閉回数が製造時の設計寿命の９０％、もしくは設計寿命に達したことをユーザに表示するようにしたことを特徴とするものである。なお前記表示は、パラメータの設定により有効／無効を切り替えられるようにすることが望ましい。
【考案の効果】
【０００６】
前記した第１考案から第３考案によれば、床暖房用コントローラに経年劣化の情報を付加したため、製品寿命がユーザに明らかにされることでメンテナンス性を向上させ、さらに長期の設計寿命を超えた使用を抑制することによって部品の設計寿命、すなわち耐久性以上の過負荷状態での使用が低減されるため、部品の不具合による重大事故が減少する。
さらに、製造業者のメリットとしては、実際の部品メーカーから供給される部品の設計寿命、すなわちリレーの開閉回数との乖離があるか否かを確認することで開発にフィードバックでき、部品定格の選定・見直しが行えるようになることにより、製品の信頼性の向上が大いに期待できる。
【図面の簡単な説明】
【０００７】
【図１】この考案の一実施形態を示すブロック図である。
【考案を実施するための形態】
【０００８】
図１に示すこの考案第１〜第３の実施形態において、床暖房用コントローラ１０内にあるＣＰＵ（中央演算回路）１１には計数手段、例えば計数回路１２が内蔵されており、床暖房用コントローラ１０の制御対象である発熱抵抗体２１に電気を供給するリレー２２を開閉し、その開閉回数を前記計数回路１２によってカウントした結果を不揮発性メモリー（Ｅ２ＰＲＯＭ等）１３に格納する。
【０００９】
前記ＣＰＵ１１は各種制御の間に、予め別の領域１４に格納された可変パラメータの設計寿命開閉規定回数と前記カウント値を比較演算し、規定回数の９０％、若しくは規定回数に達した時は点検、あるいは設計寿命到達のメッセージをコントローラ１０内の液晶表示部１５に文字表示、若しくはエラー番号、アイコン等で表示する。
なお、前記可変パラメータである設計寿命に相当する開閉規定回数は製造者により、また搭載されるリレーの種別により個別に設定でき、かつ規定回数に達した時の表示の設定／非設定もパラメータにて選択できるようにしてある。
【００１０】
以下にこの発明の床暖房用コントローラ１０の動作について説明する。
床暖房用コントローラ１０が発熱抵抗体２１に対して温度調節を行う際には、開閉素子として有寿命接点のリレー２２をＯＮ／ＯＦＦして電気の供給、停止を行うことで制御する（通電率制御、若しくは、デューティー比制御）。
この際にＣＰＵ１１はリレー２２の開閉回数を計数回路１２でカウントし、不揮発性のメモリー１３にこの情報を書き込む。
【００１１】
一方、前記ＣＰＵ１１は予め可変パラメータ領域１４に登録してある設計寿命規定回数と前記リレー２２の開閉回数をカウントした数を比較演算し、規定回数、若しくは、規定回数の９０％に達したら、点検を要する旨や、設計寿命に到達した等のメッセージを液晶表示部１５に文字表示、エラー番号、あるいはアイコン表示等として表示する。
なおこのときに、前記表示のみを行わないように可変パラメータ領域１４の設定しておくこともできる。
さらに、ユーザに非公開の特殊モードにて、設計者、工事業者は現在の開閉回数をリアルタイムで表示することができ、いつでも設計開閉寿命回数と比較することができる構造とすることもできる。
【００１２】
「実施形態の効果」
この実施形態によれば、ユーザにとってはコントローラの点検、設計寿命に達した時期が明示されるので、メンテナンスの必要性が確認できる。また、製造業者側にとっても、設計寿命を超えたことがユーザから報告されるので、部品交換等が確実に行え、部品の設計寿命を逸脱した長期の過負荷状態が避けられることから、部品の経年劣化による製品事故を未然に防止することにつながる。
【００１３】
さらに製造業者のメリットとしては、実際の部品メーカーから供給される部品の設計寿命、すなわちリレーの開閉回数との乖離があるか否かを確認することで開発にフィードバックすることができ、部品定格の選定・見直しが行えるようになって、製品の信頼性を大幅に向上させることが期待できる。
【００１４】
「他の実施形態」
図１の実施形態では、不揮発性メモリー１３にカウント数を書き込み、可変パラメータ領域１４のデータと比較しているが、カウント数が断たれないようなオンメモリー形式の開閉カウント回数の保持手段、あるいは、固定のパラメータとの比較形態とすることもできる。
さらに開閉素子として、ＩＣ無接点方式のトライアック、サイリスタを使用する際は、開閉回数でなく、累積通電時間をカウントするようにしても良い。
【産業上の利用可能性】
【００１５】
この考案は、床暖房システムを制御するコントローラの経年変化検出構造を搭載した床暖房用コントローラに関するものであり、リレー等の開閉回数をカウントする形式のものであれば、どのような床暖房システムを制御するコントローラにも適用することが可能である。
【符号の説明】
【００１６】
１０  床暖房用コントローラ
１１  ＣＰＵ
１２  計数回路
１３  不揮発性のメモリー
１４  可変パラメータ領域
１５  液晶表示部
２１  発熱抵抗体
２２  リレー
【図１】
0003172998.tif 000003